(57)【要約】【課題】筐体を不要とするレーザープリンターの光学走査装置を提供する。【解決手段】光学走査装置は、プリンター筐体に接続される支持フレームと、印刷データに基づいてレーザーを発する光学システムモジュールと、光学システムモジュールによるレーザーを反射する光学スキャナーモジュールと、光学スキャナーモジュールに反射されたレーザーを線速度一定に進行させる曲面レンズと、曲面レンズからのレーザーを有機光伝導体に反射する反射鏡モジュールとを含む。三個のモジュールはいずれも支持フレームに直接に設けられている。【選択図】図９
2008149696.tif 000002
【特許請求の範囲】
【請求項１】
レーザープリンターに用いられる光学走査装置であって、
プリンター筐体に接続される支持フレームと、
支持フレームに直接に設けられ、印刷データに基づいてレーザーを発する光学システムモジュールと、
支持フレームに直接に設けられ、光学システムモジュールによるレーザーを反射する光学スキャナーモジュールと、
光学スキャナーモジュールに反射されたレーザーを線速度一定に進行させる曲面レンズと、
支持フレームに直接に設けられ、曲面レンズからのレーザーを有機光伝導体に反射する反射鏡モジュールとを含むことを特徴とする光学走査装置。
【請求項２】
前記光学システムモジュールは、
レーザーを発するレーザー光源ユニットと、
レーザー光源ユニットによるレーザーを最適化する光学最適化ユニットとを含むことを特徴とする請求項１記載の光学走査装置。
【請求項３】
前記光学システムモジュールは支持フレームに螺合されることを特徴とする請求項１記載の光学走査装置。
【請求項４】
前記光学スキャナーモジュールは、
光学システムモジュールによるレーザーを反射する多面鏡構造と、
多面鏡構造を回転させるモーターとを含むことを特徴とする請求項１記載の光学走査装置。
【請求項５】
前記光学スキャナーモジュールは超小型電子スキャナーであることを特徴とする請求項１記載の光学走査装置。
【請求項６】
前記光学走査装置は更に、支持フレームに設けられ、光学システムモジュールと光学スキャナーモジュールを覆う防塵モジュールを含むことを特徴とする請求項１記載の光学走査装置。
【請求項７】
前記反射鏡モジュールは、
反射鏡筐体と、
反射鏡筐体に設けられ、光学スキャナーモジュールからのレーザーを有機光伝導体に反射する反射鏡と、
反射鏡の角度を調整する調整機構とを含むことを特徴とする請求項１記載の光学走査装置。
【請求項８】
前記反射鏡モジュールは更に、反射鏡の角度を固定する固定片を含むことを特徴とする請求項７記載の光学走査装置。
【請求項９】
前記調整機構は、
反射鏡筐体の一側に設けられ、反射鏡筐体と支持フレームを接続し、回動自在の反射鏡筐体の軸をなす固定棒と、
反射鏡筐体のその他の側にある調整ネジ穴に設けられ、反射鏡筐体と支持フレームを固定する調整ネジとを含むことを特徴とする請求項７記載の光学走査装置。
【請求項１０】
前記調整機構は、
反射鏡筐体に接続され、反射鏡に突き当たる微調整ネジ穴と、
微調整ネジ穴の中に設けられてこれを押し動かし、微調整ネジ穴が反射鏡を押し動かすように連動させ、反射鏡の角度を変える微調整ネジとを含むことを特徴とする請求項７記載の光学走査装置。
【請求項１１】
前記微調整ネジは微調整ネジ穴の中で異なる位置に移動でき、微調整ネジ穴はそれに応じて反射鏡を押し動かし、その角度を変えることを特徴とする請求項１０記載の光学走査装置。
【請求項１２】
前記調整機構は、
反射鏡に突き当たってこれを押し動かす微調整ネジを含むことを特徴とする請求項７記載の光学走査装置。
【請求項１３】
前記反射鏡モジュールは支持フレームに螺合されることを特徴とする請求項１記載の光学走査装置。
【請求項１４】
レーザープリンターであって、
プリンター筐体の中に回転自由に設けられる有機光伝導体と、
プリンター筐体の中に設けられる光学走査装置とを含み、そのうち光学走査装置は、
プリンター筐体に接続される支持フレームと、
支持フレームに直接に設けられ、印刷データに基づいてレーザーを発する光学システムモジュールと、
支持フレームに螺合され、光学システムモジュールによるレーザーを反射する光学スキャナーモジュールと、
光学スキャナーモジュールに反射されたレーザーを線速度一定に進行させる曲面レンズと、
支持フレームに直接に設けられ、曲面レンズからのレーザーを有機光伝導体に反射する反射鏡モジュールとを含むことを特徴とするレーザープリンター。
【請求項１５】
前記光学システムモジュールは、
レーザーを発するレーザー光源ユニットと、
レーザー光源ユニットによるレーザーを最適化する光学最適化ユニットとを含むことを特徴とする請求項１４記載のレーザープリンター。
【請求項１６】
前記光学システムモジュールは支持フレームに螺合されることを特徴とする請求項１４記載のレーザープリンター。
【請求項１７】
前記光学スキャナーモジュールは、
光学システムモジュールによるレーザーを反射する多面鏡構造と、
多面鏡構造を回転させるモーターとを含むことを特徴とする請求項１４記載のレーザープリンター。
【請求項１８】
前記光学スキャナーモジュールは超小型電子スキャナーであることを特徴とする請求項１４記載のレーザープリンター。
【請求項１９】
前記レーザープリンターは更に、支持フレームに設けられ、光学システムモジュールと光学スキャナーモジュールを覆う防塵モジュールを含むことを特徴とする請求項１４記載のレーザープリンター。
【請求項２０】
前記反射鏡モジュールは、
反射鏡筐体と、
反射鏡筐体に設けられ、光学スキャナーモジュールからのレーザーを有機光伝導体に反射する反射鏡と、
反射鏡の角度を調整する調整機構とを含むことを特徴とする請求項１４記載のレーザープリンター。
【請求項２１】
前記反射鏡モジュールは更に、反射鏡の角度を固定する固定片を含むことを特徴とする請求項２０記載のレーザープリンター。
【請求項２２】
前記調整機構は、
反射鏡筐体の一側に設けられ、反射鏡筐体と支持フレームを接続し、回動自在の反射鏡筐体の軸をなす固定棒と、
反射鏡筐体のその他の側にある調整ネジ穴に設けられ、反射鏡筐体と支持フレームを固定する調整ネジとを含むことを特徴とする請求項２０記載のレーザープリンター。
【請求項２３】
前記調整機構は、
反射鏡筐体に接続され、反射鏡に突き当たる微調整ネジ穴と、
微調整ネジ穴の中に設けられてこれを押し動かし、微調整ネジ穴が反射鏡を押し動かすように連動させ、反射鏡の角度を変える微調整ネジとを含むことを特徴とする請求項２０記載のレーザープリンター。
【請求項２４】
前記微調整ネジは微調整ネジ穴の中で異なる位置に移動でき、微調整ネジ穴はそれに応じて反射鏡を押し動かし、その角度を変えることを特徴とする請求項２３記載のレーザープリンター。
【請求項２５】
前記調整機構は、
反射鏡に突き当たってこれを押し動かす微調整ネジを含むことを特徴とする請求項２０記載のレーザープリンター。
【請求項２６】
前記反射鏡モジュールは支持フレームに螺合されることを特徴とする請求項１４記載のレーザープリンター。
【発明の詳細な説明】
【技術分野】
【０００１】
この発明はレーザープリンターに用いられる光学走査装置に関し、特に筐体を不要とするレーザープリンターの光学走査装置に関する。
【背景技術】
【０００２】
図１を参照する。図１は従来のレーザープリンター１０を表す説明図である。レーザープリンター１０は、内部素子を収容する筐体１２と、筐体１２内に回転自由に設けられる有機光伝導体１４と、筐体１２内に設けられ、正電荷を有機光伝導体１４に与える帯電ローラー１６と、筐体１２内に設けられ、レーザーを有機光伝導体１４に投射する光学走査装置１８と、筐体１２内に設けられ、トナーを収容するトナーカートリッジ２０と、筐体１２内のトナーカートリッジ２０の一側に設けられ、トナーカートリッジ２０内のトナーを吸い付ける現像ローラー２２と、筐体１２内に設けられ、負バイアス電圧（非表示）に電気的に接続される転写ローラー２４と、筐体１２内に設けられ、トナー内のプラスチック成分を溶かす定着器２６と、筐体１２内に設けられ、有機光伝導体１４の電荷を除去する放電装置２８とを含む。
【０００３】
レーザープリンター１０の動作に関する説明は下記のとおりである。まず、帯電ローラー１６は正電荷または負電荷を有機光伝導体１４に与え、光学走査装置１８は有機光伝導体１４の特定領域にレーザーを投射する。このように光伝導性の高い材料からなる有機光伝導体１４の特定領域に光学走査装置１８によるレーザーをあてると、レーザーに含まれる光子を受けた感光材料は導電可能となり、当該特定領域では電荷が放電され、相対的に低い電位を有する静電潜像が形成される。静電潜像では、任意の点の電位はそこにあてられるレーザーの出力に関係する。言い換えれば、高出力のレーザー出力を受けた点の電位差は大きく、低出力のレーザー出力を受けた点の電位差は小さい。次に、有機光伝導体１４は静電潜像と現像ローラー２２が接する位置に回転し、トナーカートリッジ２０から現像ローラー２２に吸着されていた帯電トナーは低電位の静電潜像に付着しはじめる。このとき、電位差の大きい点のトナー吸着量は比較的に多い。次に、有機光伝導体１４は静電潜像と転写ローラー２４が接する位置に回転し、静電潜像の任意の点よりも電位が高い負バイアス電圧（負バイアス電圧の絶対値は、静電潜像における任意の点の電位の絶対値よりも大きい）に電気的に接続される転写ローラー２４は、静電潜像上のトナーを吸い付け、これを転写ローラー２４と有機光伝導体１４にはさまれる印刷対象物１１に転写する。このとき、トナーは静電力で印刷対象物１１に付着しているため、レーザープリンター１０の振動やその他の外力により印刷対象物１１から落ちるおそれがある。そのため、印刷対象物１１を定着器２６に通らせ、定着器２６の発熱でトナー内のプラスチック成分を溶かし、トナーを印刷対象物１１に定着させることが必要である。転写ローラー２４が静電潜像上のトナーを印刷対象物１１に転写した後、有機光伝導体１４は静電潜像と放電装置２８が接する位置に回転し、放電装置２８は静電潜像上の電荷を除去する。そうすると、有機光伝導体１４が特定領域と帯電ローラー１６が接する位置に再び回転するとき、静電潜像は既に消去されているため、前記工程は再び実行できる。なお、光学走査装置１８は、印刷データに基づいて対応するレーザーを生成する光学システムモジュール３０と、光学システムモジュール３０によるレーザーを反射する光学スキャナーモジュール３２と、光学スキャナーモジュール３２に反射されたレーザーを線速度一定に進行させる曲面レンズ３３（例えばｆ−θレンズ）と、曲面レンズ３３からのレーザーを有機光伝導体１４に反射する反射鏡モジュール３４とを含む。そのうち光学システムモジュール３０は、レーザーを発するレーザー光源ユニット３６と、レーザー光源ユニット３６によるレーザーを最適化する光学最適化ユニット３８を備える。
【０００４】
図２と図３を参照する。図２は従来の光学走査装置１８の外見図であり、図３は従来の光学走査装置１８の内部素子を表す説明図である。従来の光学走査装置１８はモジュール化されたものであり、光学走査装置１８の内部素子を収容する筐体４０と、筐体４０に設けられる光学システムモジュール３０、光学スキャナーモジュール３２、及び反射鏡モジュール３４を含む。この筐体４０は支持フレーム４２に取り付けられ、支持フレーム４２は接続界面４４を介してレーザープリンター１０の本体（例えばプリンター１０の筐体１２）と接続し、光学走査装置１８を固定する。しかし、光学走査装置１８の内部素子を筐体４０内に収容し、筐体４０を支持フレームに取り付けるような従来の構造は、コストが高く、組み立てが不便であるので、好適な設計とはいいがたい。
【発明の開示】
【発明が解決しようとする課題】
【０００５】
この発明は前述の問題を解決するため、筐体を不要とするレーザープリンターに用いられる光学走査装置を提供することを課題とする。
【課題を解決するための手段】
【０００６】
この発明はレーザープリンターに用いられる光学走査装置を提供する。該光学走査装置は、プリンター筐体に接続される支持フレームと、支持フレームに直接に設けられ、印刷データに基づいてレーザーを発する光学システムモジュールと、支持フレームに直接に設けられ、光学システムモジュールによるレーザーを反射する光学スキャナーモジュールと、光学スキャナーモジュールに反射されたレーザーを線速度一定に進行させる曲面レンズと、支持フレームに直接に設けられ、曲面レンズからのレーザーを有機光伝導体に反射する反射鏡モジュールとを含む。
【０００７】
この発明は更にレーザープリンターを提供する。該レーザープリンターは、プリンター筐体の中に回転自由に設けられる有機光伝導体と、プリンター筐体の中に設けられる光学走査装置とを含む。該光学走査装置は、プリンター筐体に接続される支持フレームと、支持フレームに直接に設けられ、印刷データに基づいてレーザーを発する光学システムモジュールと、支持フレームに螺合され、光学システムモジュールによるレーザーを反射する光学スキャナーモジュールと、光学スキャナーモジュールに反射されたレーザーを線速度一定に進行させる曲面レンズと、支持フレームに直接に設けられ、曲面レンズからのレーザーを有機光伝導体に反射する反射鏡モジュールとを含む。
【発明の効果】
【０００８】
本発明はレーザープリンターの光学走査装置の筐体を不要にし、その中の光学システムモジュール、光学スキャナーモジュール、反射鏡モジュールを支持フレームに直接に取り付ける。そうすると、コストは削減され、反射鏡の角度調整は便利となり、組み立ては簡単となる。
【発明を実施するための最良の形態】
【０００９】
かかる装置の特徴を詳述するために、具体的な実施例を挙げ、図を参照にして以下に説明する。
【００１０】
図４を参照する。図４はこの発明によるレーザープリンター５０を表す説明図である。レーザープリンター５０は、内部素子を収容する筐体５２と、筐体５２内に回転自由に設けられる有機光伝導体５４と、筐体５２内に設けられ、正電荷を有機光伝導体５４に与える帯電ローラー５６と、筐体５２内に設けられ、レーザーを有機光伝導体５４に投射する光学走査装置５８と、筐体５２内に設けられ、トナーを収容するトナーカートリッジ６０と、筐体５２内のトナーカートリッジ６０の一側に設けられ、トナーカートリッジ６０内のトナーを吸い付ける現像ローラー６２と、筐体５２内に設けられ、負バイアス電圧（非表示）に電気的に接続される転写ローラー６４と、筐体５２内に設けられ、トナー内のプラスチック成分を溶かす定着器６６と、筐体５２内に設けられ、有機光伝導体５４の電荷を除去する放電装置６８とを含む。
【００１１】
レーザープリンター５０の動作に関する説明は下記のとおりである。まず、帯電ローラー５６は正電荷または負電荷を有機光伝導体５４に与え、光学走査装置５８は有機光伝導体５４の特定領域にレーザーを投射する。このように光伝導性の高い材料からなる有機光伝導体５４の特定領域に光学走査装置５８によるレーザーをあてると、レーザーに含まれる光子を受けた感光材料は導電可能となり、当該特定領域では電荷が放電され、相対的に低い電位を有する静電潜像が形成される。静電潜像では、任意の点の電位はそこにあてられるレーザーの出力に関係する。言い換えれば、高出力のレーザー出力を受けた点の電位差は大きく、低出力のレーザー出力を受けた点の電位差は小さい。次に、有機光伝導体５４は静電潜像と現像ローラー６２が接する位置に回転し、トナーカートリッジ６０から現像ローラー６２に吸着されていた帯電トナーは低電位の静電潜像に付着しはじめる。このとき、電位差の大きい点のトナー吸着量は比較的に多い。次に、有機光伝導体５４は静電潜像と転写ローラー６４が接する位置に回転し、静電潜像の任意の点よりも電位が高い負バイアス電圧（負バイアス電圧の絶対値は、静電潜像における任意の点の電位の絶対値よりも大きい）に電気的に接続される転写ローラー６４は、静電潜像上のトナーを吸い付け、これを転写ローラー６４と有機光伝導体５４にはさまれる印刷対象物５１に転写する。このとき、トナーは静電力で印刷対象物５１に付着しているため、レーザープリンター５０の振動やその他の外力により印刷対象物５１から落ちるおそれがある。そのため、印刷対象物５１を定着器６６に通らせ、定着器６６の発熱でトナー内のプラスチック成分を溶かし、トナーを印刷対象物５１に定着させることが必要である。転写ローラー６４が静電潜像上のトナーを印刷対象物５１に転写した後、有機光伝導体５４は静電潜像と放電装置６８が接する位置に回転し、放電装置６８は静電潜像上の電荷を除去する。そうすると、有機光伝導体５４が特定領域と帯電ローラー５６が接する位置に再び回転するとき、静電潜像は既に消去されているため、前記工程は再び実行できる。なお、光学走査装置５８は、印刷データに基づいて対応するレーザーを生成する光学システムモジュール７０と、光学システムモジュール７０によるレーザーを反射する光学スキャナーモジュール７２と、光学スキャナーモジュール７２に反射されたレーザーを線速度一定に進行させる曲面レンズ７３（例えばｆ−θレンズ）と、曲面レンズ７３からのレーザーを有機光伝導体５４に反射する反射鏡モジュール７４とを含む。そのうち光学システムモジュール７０は、レーザーを発するレーザー光源ユニット７６と、レーザー光源ユニット７６によるレーザーを最適化する光学最適化ユニット７８を備える。
【００１２】
図５から図９を参照する。図５はこの発明による支持フレーム８０を表す説明図であり、図６はこの発明による光学システムモジュール７０を表す説明図であり、図７はこの発明による光学スキャナーモジュール７２を表す説明図である。図に示すように、曲面レンズ７３は光学システムモジュール７０に結合され、光学スキャナーモジュール７２は、光学システムモジュール７０によるレーザーを反射する多面鏡構造８０と、多面鏡構造８０を回転させるモーター８２を含む。あるいは、特定角度に回転自在で、光学システムモジュール７０によるレーザーを選択的に反射する画素レンズアレイを含む超小型電子スキャナーを、光学スキャナーモジュール７２として使うこともできる。図８はこの発明による反射鏡モジュール７４を表す説明図である。反射鏡モジュール７４は、反射鏡筐体８４と、反射鏡筐体８４に設けられ、光学スキャナーモジュール７２からのレーザーを有機光伝導体５４に反射する反射鏡８６と、反射鏡筐体８４内の反射鏡８６の両側にそれぞれ接続され、反射鏡８６の角度を固定する弾力性のある２枚の固定片８８とを含む。次に図９を参照する。図９はこの発明による光学走査装置５８を表す説明図である。光学走査装置５８は支持フレーム８０を備え、光学システムモジュール７０、光学スキャナーモジュール７２、反射鏡モジュール７４は支持フレーム８０に直接に取り付けられている。光学システムモジュール７０、光学スキャナーモジュール７２、反射鏡モジュール７４は支持フレーム８０に直接に螺合されているので、従来の筐体は不要とされ、それによりコストは削減され、組み立ては容易となる。支持フレーム８０は接続界面９０を介してレーザープリンター５０の本体（例えばプリンター５０の筐体５２）と接続し、光学走査装置５８を固定する。
【００１３】
図１０を参照する。図１０はこの発明による光学走査装置５８に防塵モジュール９２を取り付けた状態を表す説明図である。光学走査装置５８は、支持フレーム８０に取り付けられる防塵モジュール９２を含む。防塵モジュール９２は光学システムモジュール７０、光学スキャナーモジュール７２、及び反射鏡モジュール７４を覆って、ほこり、トナーやその他の雑物が光学走査装置５８に入ることを防ぐ。
【００１４】
図８、図９、及び図１１を参照する。図１１はこの発明による反射鏡モジュール７４の裏面図である。反射鏡モジュール７４は更に、反射鏡８６の角度を調整する調整機構９４を含む。調整機構９４は、反射鏡筐体８４の一側に設けられる固定棒９６を備え、反射鏡筐体８４はＹ軸方向に沿う固定棒９６を軸として回動自由である。換言すれば、反射鏡筐体８４をＸ−Ｚ平面で水平移動させることによって、反射鏡モジュール７４全体のスキューを調整することが可能である。調整機構９４は更に、反射鏡筐体８４のその他の側にある調整ネジ穴１００に設けられ、反射鏡筐体８４と支持フレーム８０を固定するための調整ネジ９８を含む。反射鏡の調整は、固定棒９６を軸として反射鏡筐体８４をＸ−Ｚ平面で水平移動させ、反射鏡モジュール７４全体のスキューを最適にした後、調整ネジ９８をひねて調整ネジ穴１００に締め付け、反射鏡筐体８４と支持フレーム８０を動かないようにすることによって行われる。なお、調整機構９４は更に、反射鏡筐体８４に接続され、反射鏡８６に突き当たる微調整ネジ穴１０２と、微調整ネジ穴１０２の中にはめられ、微調整ネジ穴１０２を押して間接的に反射鏡９６の角度を変化させ、レーザーの光学経路を微調整する微調整ネジ１０４とを含む。調整機構９４は支持フレーム８０に直接に設けられているので、従来の筐体は不要とされるのみならず、反射鏡の角度を調整するとき、支持フレームから筐体を取り外さなければならないという従来の欠点も解決される。
【００１５】
図１２と図１３を参照する。図１２はこの発明による反射鏡８６の初期位置を表す断面図であり、図１３はこの発明による微調整ネジ穴１０２に押されて移動した反射鏡８６の位置を表す断面図である。図に示すように、微調整ネジ１０４は第一半径１０４１と、第一半径１０４１より大きい第二半径１０４２を有する。微調整は、微調整ネジ１０４をひねて＋Ｙもしくは−Ｙ方向に沿って図１２に示す第一位置、あるいは図１３に示す第二位置に移動させることで行われる。微調整ネジ１０４が第一位置にとどまるとき、微調整ネジ１０４の第一半径１０４１は微調整ネジ穴１０２の半径と同様であり、反射鏡８６は微調整ネジ穴１０２に押されることなく第一角度を保てる。微調整ネジ１０４を第二位置に締め付けると、微調整ネジ穴１０２の半径より大きい微調整ネジ１０４の第二半径１０４２により微調整ネジ穴１０２は−Ｚ方向に移動し（微調整ネジ穴１０２は可撓性材料で製作される）、反射鏡８６を−Ｚ方向に沿って押し動かす。そうすると反射鏡８６はＸ軸方向に回転し、第二角度となる。それと同時に、前記弾力性のある固定片８８は反射鏡８６に弾力を与え、第二角度を保持する。微調整ネジ１０４を第一位置に戻せば、本来の位置に戻る固定片８８は反射鏡８６に回復力を与え、その位置を本来の第一角度に戻す。もっとも微調整ネジ１０４で可能な半径は前記第一半径と第二半径に限らず複数存在し、これを利用して反射鏡８６の角度を所望どおりにすることができる。このように微調整ネジ１０４で反射鏡８６の角度を調整すれば、反射鏡モジュール７４全体の走査位置は調整できる。
【００１６】
次に図１４と図１５を参照する。図１４はこの発明の別の実施例による反射鏡８６の初期位置を表す断面図であり、図１５は図１４に示す実施例において、微調整ネジ穴１０２に押されて移動した反射鏡８６の位置を表す断面図である。前記実施例と異なり、本実施例で反射鏡８６を動かし、その角度を調整するものは微調整ネジ１０６である。微調整は、微調整ネジ１０６をひねて＋Ｙもしくは−Ｙ方向に沿って図１４に示す第三位置、あるいは図１５に示す第四位置に移動させることで行われる。微調整ネジ１０６が第三位置にとどまるとき、反射鏡８６は微調整ネジ１０６に押されることなく第三角度を保てる。微調整ネジ１０６を第四位置に締め付けると、微調整ネジ１０６は反射鏡８６を−Ｚ方向に沿って押し動かす。そうすると反射鏡８６はＸ軸方向に回転し、第四角度となる。それと同時に、前記弾力性のある固定片８８は反射鏡８６に弾力を与え、第四角度を保持する。微調整ネジ１０６を第三位置に戻せば、本来の位置に戻る固定片８８は反射鏡８６に回復力を与え、その位置を本来の第三角度に戻す。このように微調整ネジ１０６の位置を調整すれば、反射鏡８６の角度を所望どおりにすることができる。微調整ネジ１０６で反射鏡８６の角度を調整すれば、反射鏡モジュール７４全体の走査位置は調整できる。
【００１７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１８】
本発明は従来の光学走査装置の筐体を不要にすることを内容とする。かかる技術は当然実施可能である。
【図面の簡単な説明】
【００１９】
【図１】従来のレーザープリンターを表す説明図である。
【図２】従来の光学走査装置の外見図である。
【図３】従来の光学走査装置の内部素子を表す説明図である。
【図４】この発明によるレーザープリンターを表す説明図である。
【図５】この発明による支持フレームを表す説明図である。
【図６】この発明による光学システムモジュールを表す説明図である。
【図７】この発明による光学スキャナーモジュールを表す説明図である。
【図８】この発明による反射鏡モジュールを表す説明図である。
【図９】この発明による光学走査装置を表す説明図である。
【図１０】この発明による光学走査装置に防塵モジュールを取り付けた状態を表す説明図である。
【図１１】この発明による反射鏡モジュールの裏面図である。
【図１２】この発明による反射鏡の初期位置を表す断面図である。
【図１３】この発明による微調整ネジ穴に押されて移動した反射鏡の位置を表す断面図である。
【図１４】この発明の別の実施例による反射鏡の初期位置を表す断面図である。
【図１５】図１４に示す実施例において、微調整ネジ穴に押されて移動した反射鏡の位置を表す断面図である。
【符号の説明】
【００２０】
１０、５０    レーザープリンター
１２、５２    筐体
１４、５４    有機光伝導体
１６、５６    帯電ローラー
１８、５８    光学走査装置
２０、６０    トナーカートリッジ
２２、６２    現像ローラー
２４、６４    転写ローラー
２６、６６    定着器
２８、６８    放電装置
３０、７０    光学システムモジュール
３２、７２    光学スキャナーモジュール
３３、７３    曲面レンズ
３４、７４    反射鏡モジュール
３６、７６    レーザー光源ユニット
３８、７８    光学最適化ユニット
４０      筐体
４２、８０    支持フレーム
４４、９０    接続界面
８１      多面鏡構造
８２      モーター
８４      反射鏡筐体
８６      反射鏡
８８      固定片
９２      防塵モジュール
９４      調整機構
９６      固定棒
９８      調整ネジ
１００    調整ネジ穴
１０２    微調整ネジ穴
１０４、１０６  微調整ネジ
１０４１    第一半径
１０４２    第二半径
【図１】
2008149696.tif 000003
【図２】
2008149696.tif 000004
【図３】
2008149696.tif 000005
【図４】
2008149696.tif 000006
【図５】
2008149696.tif 000007
【図６】
2008149696.tif 000008
【図７】
2008149696.tif 000009
【図８】
2008149696.tif 000010
【図９】
2008149696.tif 000011
【図１０】
2008149696.tif 000012
【図１１】
2008149696.tif 000013
【図１２】
2008149696.tif 000014
【図１３】
2008149696.tif 000015
【図１４】
2008149696.tif 000016
【図１５】
2008149696.tif 000017